(57)【要約】【課題】高圧の水素ガスあるいは水素ガスを含有する機能性ゼリーが外部に噴出して利用者の衣服を汚染する恐れがなく、機能性ゼリー収納容器の内に、生成した水素水の水素濃度低下を長期に防止することができるようにすること所定の水素水の水素濃度を容易に確保でき、利用者が蓋を取り外した時に水素ガスあるいは水素ガスを含有する機能性ゼリーが噴出することが防止されるようにする【解決手段】機能性ゼリー及び油性の増粘性物質の一部が外部に排出されることで、密封状態で原容積から減容容積とされた減容容積形態を形成し、  当該減容容積形態で水素ガスが注入されて、機能性ゼリー収納容器内部の上部に水素ガス空間部を有して、密封状態で原容積まで回復された容積回復形態を形成し、  前記２つの形態が機能性ゼリー収納容器内部に機能性ゼリー及び油性の増粘性物質が充填の下に形成され、増粘された水素ガス保有の機能性ゼリーを形成する。【選択図】図１
2019131269.tif 000002
【特許請求の範囲】
【請求項１】
人間がその手に持って容易に持ち運び可能で、蓋を備えた機能性ゼリー収納容器であって、内部に、水素ガスと油性の増粘性物質と機能性ゼリーとを充填させた機能性ゼリー収納容器の形成方法において、
内部に機能性ゼリー及び油性の増粘性物質を収納し、上部に空気空間部を有し、又は内部に空気空間部を有さずに機能性ゼリー油性の増粘性物質が充填され、
機能性ゼリー収納容器内部の上部に空気空間部を有するときに、当該空気空間部の空気が外部に排出されることで、あるいは機能性ゼリー収納容器内部が機能性ゼリー及び油性の増粘性物質で充填されているときに、機能性ゼリー及び油性の増粘性物質の一部が外部に排出されることで、密封状態で原容積から減容容積とされた減容容積形態を形成し、
当該減容容積形態で水素ガスが注入されて、機能性ゼリー収納容器内部の上部に水素ガス空間部を有して、密封状態で原容積まで回復された容積回復形態を形成し、
前記２つの形態が機能性ゼリー収納容器内部に機能性ゼリー及び油性の増粘性物質が充填の下に形成され、増粘された水素ガス保有の機能性ゼリーを形成し、
増粘された水素ガス保有の機能性ゼリーは、振盪させることが可能であること
を特徴とする内部に機能性ゼリーと油性の増粘性物質と水素ガスとで充填させた機能性ゼリー収納容器の形成方法。
【請求項２】
内部に機能性ゼリーと油性の増粘性物質と水素ガスとで充填させた機能性ゼリー収納容器の形成方法において、内部に機能性ゼリーと油性の増粘性物質と水素ガスとで充填させた機能性ゼリー収納容器を振盪させ、増粘性とされた機能性ゼリー内に水素ガスを保持させたことを特徴とする内部に機能性ゼリーと油性の増粘性物質と水素ガスとで充填させた機能性ゼリー収納容器の形成方法。
【請求項３】
請求項１または２に記載された内部に機能性ゼリーと油性の増粘性物質と水素ガスとで充填させた機能性ゼリー収納容器の形成方法において、機能性ゼリー収納容器本体に作用する操作力が、機能性ゼリー収納容器本体を外部から押圧する押圧手段によって付与されることを特徴とする内部に機能性ゼリーと水素ガスとで充填させた機能性ゼリー収納容器の形成方法。
【請求項４】
人間がその手に持って容易に持ち運び可能で、蓋を備えた機能性ゼリー収納容器であって、内部に、機能性ゼリーと油性の増粘性物質と水素ガスとを充填させた機能性ゼリー収納容器において、
機能性ゼリー収納容器が、機能性ゼリー収納容器本体と当該機能性ゼリー収納容器本体の口部に施蓋される、内面にねじ溝が形成され、内部に弾性パッキンが嵌合係止された蓋を備え、
当該機能性ゼリー収納容器本体が、内部に機能性ゼリー及び油性の増粘性物質を収納し、上部に空気空間部を有し、
機能性ゼリー収納容器内部の上部に空気空間部を有するときに、当該空気空間部の空気が外部に排出されることで、あるいは機能性ゼリー収納容器内部が機能性ゼリー及び油性の増粘性物質で充填されているときに、機能性ゼリー及び油性の増粘性物質の一部が外部に排出されることで、密封状態で原容積から減容容積とされた減容容積形態と、
当該減容容積形態で外部から水素ガスが注入されて、機能性ゼリー収納容器内部の上部に水素ガス空間部を有して、密封状態で原容積まで回復された容積回復形態と、
の２つの形態を呈し、
内部に機能性ゼリーと油性の増粘性物質とが収納あるいは充填されているときは、前記２つの形態が機能性ゼリー収納容器内部に機能性ゼリーと油性の増粘性物質とが収納あるいは充填の下に、水素ガス保有の油性の増粘性機能性ゼリーを形成し、
水素ガス保有の油性の増粘性機能性ゼリーは、振盪させることが可能であること
を特徴とする内部に機能性ゼリーと油性の増粘性物質と水素ガスとを充填させた機能性ゼリー収納容器。
【請求項５】
アルミパウチが用いられ、アルミパウチ内に、水素ガスを含有した機能性ゼリーと油性の増粘性物質とを収納することで、内部に機能性ゼリーと油性の増粘性物質と水素ガスとを充填させたアルミパウチの形成方法において、
アルミパウチ本体及び当該アルミパウチの口部となるアルミパウチ差込み口部に形成されたねじ溝に係合するねじ溝を備えた蓋からなる市販のアルミパウチと、当該蓋の内部面に係合し、当該蓋の内部に収納されて弾性を有する弾性パッキンと、当該アルミパウチの内部に注入される水素ガスを収納した水素ガスボンベと、当該蓋を貫通可能な注入針、当該注入針と前記水素ボンベとを連結する連結管を備えた水素ガス注入器と、当該蓋を貫通可能な注入針、当該注入針と前記油性の増粘性物質ボンベとを連結する連結管を備えた油性の増粘性物質注入器とが準備され、
アルミパウチ内部の下部に機能性ゼリーと油性の増粘性物質とが収納され、アルミパウチ内部の上部に空気空間部が形成され、
当該アルミパウチ本体が、押圧手段によって内部方向に押圧され、空気空間部内の空気が当該アルミパウチの外部に排出されて、密封状態で原容積から減容容積とされた減容容積形態とされ、
前記アルミパウチの口部が、弾性パッキンを備えた前記蓋による施蓋され、
前記注入針が当該蓋を貫通して、当該アルミパウチの内部に差し込まれ、
水素ガスボンベから水素ガスが、水素ガス注入器を介して密封で減容容積形態のアルミパウチ内部に注入され、
当該減容容積形態で外部から水素ガスが注入されて、アルミパウチ内部の上部に水素ガス空間部が形成されて、密封状態で原容積まで回復された容積回復形態とされ、
注入針が当該蓋から取り除かれ、前記弾性パッキンが注入針の貫通した貫通孔を塞ぎ、
振盪させることが可能状態とされたこと
を特徴とする内部に機能性ゼリーと油性の増粘性物質と水素ガスとを充填させたアルミパウチの形成方法。
【発明の詳細な説明】
【技術分野】
【０００１】
本発明は、内部に機能性ゼリーと油性の増粘性物質と水素ガスとを充填させた機能性ゼリー収納容器あるいはアルミパウチの形成方法とその装置に関する。
【背景技術】
【０００２】
成人病、生活習慣病、ウイルス病、免疫病、アレルギー病あるいは感染病など色々な病気を予防、治療、完治する目的で、あるいは食を楽しみ生活を豊かにする目的で機能性ゼリー食品が販売され、また化粧品メーカーは加齢に伴うシワやシミをけし、肌の潤いを保つなどの効果を高める目的で機能性ゼリー化粧品が販売される。
【０００３】
特許文献１には、水素ガスの微細気泡を保持する機能性ゼリーが記載される。
【０００４】
特許文献２には、還元パウダー微粉末を粘性クリーム中に密封状態に保持して水素クリームを製造する一方、還元パウダー中の部分酸化したマグネシウムが、外気の水蒸気やクリーム塗布面の水分と接触したときに水素を発生させるようにした還元パウダー微粉末を含有する水素クリームの製造方法が記載される。
【０００５】
特許文献３には、水溶液にゲル化剤を添加して撹拌しつつ冷却することで水溶液の粘土を高め、ゲル化直前まで粘度が高まった時点で水溶液へ水素ガスの供給を行うことで、水素ガス気泡を保持したゲル状食品を製造する方法が記載される。
【先行技術文献】
【特許文献】
【０００６】
【特許文献１】特許第４４５０８６３号公報
【特許文献２】特開２０１５−１９９６７２号公報
【特許文献３】特開２０１７−１２１２３２号公報
【発明の概要】
【発明が解決しようとする課題】
【０００７】
特許文献によれば、水素ガスの微細気泡を保持する機能性ゼリーが知られている。また機能性ゼリー中に水素ガスの微細気泡を保持させる方法が記載される。
【０００８】
特許文献に記載された方法によって機能性ゼリー中に水素ガスの微細気泡を保持させた場合、空気存在中での水素ガスの機能性ゼリーへの接触となって、水素濃度の濃い機能性ゼリー製品が得られない。
【０００９】
水素ボンベから水素ガスを、機能性ゼリーを収容した容器に送給して水素ガス含有の機能性ゼリーを生成する場合、当該容器の上部に空気空間部を設けておくことが求められる。空気空間部を設けておかなければ、送給することが困難であるか、もしくは大気圧の何倍もの圧力で水素ガスを押し込むことが求められ、利用者がその利用のために蓋を取り外した時に水素ガスあるいは水素ガスを含有する機能性ゼリーが噴出する現象が生じることになる。
【００１０】
上述したように容器の上部に空気空間部を設けておくことは、空気空間部に空気が存在した状態で水素ガスを送給することとなって、水素ガスと空気とが混合した状態となり、空気空間部内における水素ガス体積割合が減ることになって機能性ゼリー中の水素濃度の確保が困難になるという問題がある。
【００１１】
水素濃度の確保のために、大気圧の何倍もの水素圧力で水素ガスを注入すると、水素濃度が確保されるが、蓋を取り外したときに、高圧の水素ガスあるいは水素ガスを含有する機能性ゼリーが外部に噴出して利用者の衣服を汚染する恐れがある。
【００１２】
本発明は、かかる点に鑑み、高圧の水素ガスあるいは水素ガスを含有する機能性ゼリーが外部に噴出して利用者の衣服を汚染する恐れがなく、機能性ゼリー収納容器の内に、生成した水素水の水素濃度低下を長期に防止することができるようにすることを課題とする。
【課題を解決するための手段】
【００１３】
本発明は、人間がその手に持って容易に持ち運び可能で、蓋を備えた機能性ゼリー収納容器であって、内部に、水素ガスと油性の増粘性物質と機能性ゼリーとを充填させた機能性ゼリー収納容器の形成方法において、
内部に機能性ゼリー及び油性の増粘性物質を収納し、上部に空気空間部を有し、又は内部に空気空間部を有さずに機能性ゼリー油性の増粘性物質が充填され、
機能性ゼリー収納容器内部の上部に空気空間部を有するときに、当該空気空間部の空気が外部に排出されることで、あるいは機能性ゼリー収納容器内部が機能性ゼリー及び油性の増粘性物質で充填されているときに、機能性ゼリー及び油性の増粘性物質の一部が外部に排出されることで、密封状態で原容積から減容容積とされた減容容積形態を形成し、
当該減容容積形態で水素ガスが注入されて、機能性ゼリー収納容器内部の上部に水素ガス空間部を有して、密封状態で原容積まで回復された容積回復形態を形成し、
前記２つの形態が機能性ゼリー収納容器内部に機能性ゼリー及び油性の増粘性物質が充填の下に形成され、増粘された水素ガス保有の機能性ゼリーを形成し、
増粘された水素ガス保有の機能性ゼリーは、振盪させることが可能であること
を特徴とする内部に機能性ゼリーと油性の増粘性物質と水素ガスとで充填させた機能性ゼリー収納容器の形成方法を提供する。
本発明は、内部に機能性ゼリーと油性の増粘性物質と水素ガスとで充填させた機能性ゼリー収納容器の形成方法において、内部に機能性ゼリーと油性の増粘性物質と水素ガスとで充填させた機能性ゼリー収納容器を振盪させ、増粘性とされた機能性ゼリー内に水素ガスを保持させたことを特徴とする内部に機能性ゼリーと油性の増粘性物質と水素ガスとで充填させた機能性ゼリー収納容器の形成方法を提供する。
本発明は、上述の内部に機能性ゼリーと油性の増粘性物質と水素ガスとで充填させた機能性ゼリー収納容器の形成方法において、機能性ゼリー収納容器本体に作用する操作力が、機能性ゼリー収納容器本体を外部から押圧する押圧手段によって付与されることを特徴とする内部に機能性ゼリーと水素ガスとで充填させた機能性ゼリー収納容器の形成方法を提供する。
本発明は、人間がその手に持って容易に持ち運び可能で、蓋を備えた機能性ゼリー収納容器であって、内部に、機能性ゼリーと油性の増粘性物質と水素ガスとを充填させた機能性ゼリー収納容器において、
機能性ゼリー収納容器が、機能性ゼリー収納容器本体と当該機能性ゼリー収納容器本体の口部に施蓋される、内面にねじ溝が形成され、内部に弾性パッキンが嵌合係止された蓋を備え、
当該機能性ゼリー収納容器本体が、内部に機能性ゼリー及び油性の増粘性物質を収納し、上部に空気空間部を有し、
機能性ゼリー収納容器内部の上部に空気空間部を有するときに、当該空気空間部の空気が外部に排出されることで、あるいは機能性ゼリー収納容器内部が機能性ゼリー及び油性の増粘性物質で充填されているときに、機能性ゼリー及び油性の増粘性物質の一部が外部に排出されることで、密封状態で原容積から減容容積とされた減容容積形態と、
当該減容容積形態で外部から水素ガスが注入されて、機能性ゼリー収納容器内部の上部に水素ガス空間部を有して、密封状態で原容積まで回復された容積回復形態と、
の２つの形態を呈し、
内部に機能性ゼリーと油性の増粘性物質とが収納あるいは充填されているときは、前記２つの形態が機能性ゼリー収納容器内部に機能性ゼリーと油性の増粘性物質とが収納あるいは充填の下に、水素ガス保有の油性の増粘性機能性ゼリーを形成し、
水素ガス保有の油性の増粘性機能性ゼリーは、振盪させることが可能であること
を特徴とする内部に機能性ゼリーと油性の増粘性物質と水素ガスとを充填させた機能性ゼリー収納容器を提供する。
本発明は、アルミパウチが用いられ、アルミパウチ内に、水素ガスを含有した機能性ゼリーと油性の増粘性物質とを収納することで、内部に機能性ゼリーと油性の増粘性物質と水素ガスとを充填させたアルミパウチの形成方法において、
アルミパウチ本体及び当該アルミパウチの口部となるアルミパウチ差込み口部に形成されたねじ溝に係合するねじ溝を備えた蓋からなる市販のアルミパウチと、当該蓋の内部面に係合し、当該蓋の内部に収納されて弾性を有する弾性パッキンと、当該アルミパウチの内部に注入される水素ガスを収納した水素ガスボンベと、当該蓋を貫通可能な注入針、当該注入針と前記水素ボンベとを連結する連結管を備えた水素ガス注入器と、当該蓋を貫通可能な注入針、当該注入針と前記油性の増粘性物質ボンベとを連結する連結管を備えた油性の増粘性物質注入器とが準備され、
アルミパウチ内部の下部に機能性ゼリーと油性の増粘性物質とが収納され、アルミパウチ内部の上部に空気空間部が形成され、
当該アルミパウチ本体が、押圧手段によって内部方向に押圧され、空気空間部内の空気が当該アルミパウチの外部に排出されて、密封状態で原容積から減容容積とされた減容容積形態とされ、
前記アルミパウチの口部が、弾性パッキンを備えた前記蓋による施蓋され、
前記注入針が当該蓋を貫通して、当該アルミパウチの内部に差し込まれ、
水素ガスボンベから水素ガスが、水素ガス注入器を介して密封で減容容積形態のアルミパウチ内部に注入され、
当該減容容積形態で外部から水素ガスが注入されて、アルミパウチ内部の上部に水素ガス空間部が形成されて、密封状態で原容積まで回復された容積回復形態とされ、
注入針が当該蓋から取り除かれ、前記弾性パッキンが注入針の貫通した貫通孔を塞ぎ、
振盪させることが可能状態とされたこと
を特徴とする内部に機能性ゼリーと油性の増粘性物質と水素ガスとを充填させたアルミパウチの形成方法を提供する。
【００１４】
ここで、圧力には、「絶対圧」と「ゲージ圧」の２種類がある。真空をゼロとする絶対圧に対して、ゲージ圧は、大気圧をゼロとする、相対的な圧力である。双方の関係は、
絶対圧＝ゲージ圧  ＋  大気圧
で表され、本実施例では、ゲージ圧が採用される。
【００１５】
本実施例では、機能性ゼリー及び油性の増粘性物質が対象とされる。機能性ゼリーとは、当該ゼリーを取り扱う事業者の責任において、科学的根拠に基づき、特定の健康・保健の目的が期待できるという機能性が表示されたゼリーのことを指す。機能性ゼリーには、代表的には、機能性ゼリー食品と機能性ゼリー化粧品がある。機能性表示食品は、生鮮食品やサプリメントなどを含む食品全般が対象とされ、事業者の責任において、商品パッケージのよく見える場所に「機能性表示食品」と明示した上で機能性を表示することが求められる。従って、機能性ゼリー食品とは、機能性表示食品の内の機能性ゼリーからなるものであり、体調調節機能を含む生理活性機能を持つゼリー食品である。食品ゼリーを形成するゲル化剤としては、ゼラチンのほか、寒天やこんにゃくが用いられる。機能性表示食品には、各種の栄養素や機能性成分が付加されているものが多い。
【００１６】
機能性化粧品には、抗老化美白やアンチエイジング機能化粧品がある。訴求機能として、ホワイトニング、アンチエイジング、敏感肌、アクネ対応があり、対象カテゴリーは、スキンケア、ベースメイク、ボデイケアがある。機能性ゼリー化粧品は、これらの機能性化粧品中のゼリー状化粧品が対象とされる。
油性の増粘性物質としては、化粧品用植物油を用い得る。例えば、スワララン、マダデミアナッツ油、ホホバ種子油、オリーブ油、ローズヒップ油のブレンド油、アボカドの種子から得られた油、杏子の核仁から得られた油、トウモロコシ胚芽油、ヒマワリ油、ヘーゼルナッツ油、メドウホーム油、クランベアビシニカ油等が使用され得る。
【発明の効果】
【００１７】
本発明によれば、減容容積形態で外部から水素ガスが注入されて、アルミ製の機能性ゼリー収納容器内部の上部に水素ガス空間部を有して、密封状態で原容積まで回復された容積回復形態とされ、容積回復形態のときに、振盪させることが可能状態とすることができる。また、本発明によれば、アルミパウチ内部の上部に空気空間部を有するときに、当該空気空間部の空気が外部に排出されて、密封状態で原容積から減容容積とされた減容容積形態と、
当該減容容積形態で外部から水素ガスが注入されて、アルミパウチ内部の上部に水素ガス空間部を有して、密封状態で原容積まで回復された容積回復形態との２つの形態を呈するようにすることができる。
【００１８】
高圧の水素ガスあるいは水素ガスを含有する機能性ゼリーが外部に噴出して利用者の衣服を汚染する恐れがなく、機能性ゼリー収納容器の内に、生成した水素水の水素濃度低下を長期に防止することができるようにすることができる。
【図面の簡単な説明】
【００１９】
【図１】本発明の実施例である機能性ゼリー収納容器の形成方法を示す図
【図２】図１に示す機能性ゼリー収納容器の形成に用いられる蓋の構成を示す図
【図３】本発明の他の実施例である機能性ゼリー収納容器の形成方法を示す図
【図４】本発明の他の実施例である機能性ゼリー収納容器の形成方法を示す図
【図５】機能性ゼリー収納容器として典型的なアルミパウチを例にとってアルミパウチの形成装置をブロックで示す図
【発明を実施するための形態】
【００２０】
以下、本発明の実施例を図面に基づいて説明する。
【００２１】
図１は、本発明の実施例である機能性ゼリー（機能性ジュリともいう。）収納容器の形成方法を示す図である。特に、効果の大きいアルミ製の飲料水収納容器の形成方法を示す図である。機能性ゼリー収納容器は、人間がその手に持って容易に持ち運び可能な機能性ゼリー収納容器であって、内部に、機能性ゼリーと油性の増粘性物質と水素ガスとを充填することで、水素ガス含有の機能性ゼリーを食用あるいは化粧品とすることを可能とする機能性ゼリー飲料水収納容器である。
【００２２】
以下、機能性ゼリー収納容器の形成方法飲料水収納容器として最も典型的なアルミパウチを例に採って説明するが、アルミパウチに限定されない。機能性ゼリー収納容器としては、アルミパウチ、アルミボトル、アルミ缶がある。
【００２３】
アルミニウム材料は、水素ガスを漏洩させず、アルミパウチは、外被袋体としてアルミニウム材料を採用し、内部に収納する水素ガスを効果的に保持することができる。アルミパウチは、内部にさらに水素漏洩防止膜が貼られるときがある。また、アルミパウチは市販されており、容易に入手することができる。
【００２４】
増粘性機能性ゼリー収納容器の形成方法を提供する。
【００２５】
本実施例において、市販されているアルミパウチが用いられる。
【００２６】
本実施例で、通常アルミパウチは、飲用物を収納するために用いられるが、飲用物に限定されず、機能性ゼリーと油性の増粘性物質とを収納し得る。
【００２７】
市販のアルミパウチ本体１及び当該アルミパウチのアルミパウチ差込み部（アルミパウチの場合、飲み口部となる。）に形成されたねじ溝に係合するねじ溝を備えたアルミパウチ用の蓋２からなるアルミパウチ１００、及び図２に示す当該アルミパウチ用蓋の内部面に係合し、当該アルミパウチ用蓋の内部に収納される弾性を有する弾性パッキン３１、図１（iv）、図２（iii）に示す当該アルミパウチの外部に、当該アルミパウチの内部に注入される水素ガスを収納した水素ガスボンベ３２及び蓋２を貫通可能な注入針３３と当該注入針３３と前記水素ボンベ３２とを連結する連結管３４とを備えた水素ガス注入器３０が準備される。連結管３４には、図示していないが適宜操作弁が設けられる。
【００２８】
図１（i）において、アルミパウチ１００を示す。アルミパウチ１００は、アルミパウチ本体１とアルミパウチ本体１のアルミパウチ差込み口部４に装着される蓋（キャップ）２から構成され、この構成は周知である。
【００２９】
アルミパウチ本体１は、袋状体部３と上述のアルミパウチ差込み口部４からなる。アルミパウチ差込み口部４の外面にはねじ溝５が形成され、その下方に複数の突起部６が形成される。蓋２の内面には、ねじ溝５に螺合されるねじ溝３５（図２参照）が設けられている。
【００３０】
袋状体部３は、上部が狭まり、その下部は長方形態をなし、例えば図で手前方向に折りたたまれ、飲用水を収納したときに外方に膨張可能である。また、膨張状態から縮小した状態、すなわち減容状態を形成することができる。
【００３１】
図１（i）において、このような形態のアルミパウチ１内に、アルミパウチ差込み口部４から機能性ゼリー及び油性の増粘性物質１１が送給される。アルミパウチ本体１は、送給された機能性ゼリー（機能性ゼリー収納部）及び油性の増粘性物質１１の量に対応して膨張し、図示したような形態となる。機能性ゼリー及び油性の増粘性物質１１は、袋状体部３が満杯になるまでは送給されず、アルミパウチ本体１の内部の上部には、空気の存在する空気空間部１２が形成された。この状態で、空気空間部の圧力は、ゲージ圧力でゼロとなる。
【００３２】
図１（ii）において、押圧装置２１によってアルミパウチ本体１の外面が内面に向けられて押圧された。押圧装置２１は、アルミパウチ本体１の外面が内面に向けて押圧することができ、押圧は、アルミパウチ本体１の弾性変形内でなされるが、アルミパウチは、大きな弾性域を有しており、押圧が容易になされる。押圧は、押圧装置２１とアルミパウチ本体１の間に柔らかい介在物を設置して、外面全体で行うようにしてもよい。
【００３３】
図１（iii）において、上述した押圧装置２１による押圧によって、空気空間部にあった空気は、アルミパウチ本体１からアルミパウチ差込み口部４（図１（ii））を介して外部に排出された。これに伴って空間部１２は消失し、アルミパウチ本体１は、点線で示す形状から実線で示す形状となって減容容積状態となる。この状態で蓋２が上述した双方のねじ溝が、使用されて装着される。この状態で、アルミパウチ本体１の内部が密封状態で減容容積となり、実質的にアルミパウチ内には空気層となる空気が存在しない。
【００３４】
このようなアルミパウチ本体１の内部が密封状態で減容容積となり、実質的にアルミパウチ内には空気が存在しない状態は、空気空間部を消失されることで形成する方法以外に、図１（i）において機能性ゼリー及び油性の増粘性物質を、アルミパウチの内部が満杯になるように送給、注入、収容し、図１（ii）における押圧作業で、上部にある機能性ゼリー及び油性の増粘性物質をアルミパウチの外部に排出する方法がある。
【００３５】
図１（iv）において、水素ガス注入器３０の注入針３３が蓋２に差し込まれ、一部が貫通する。水素ガスボンベ３２から水素ガスがアルミパウチ本体１の内部に送給され、アルミパウチ本体１の内部の上部に再度空間部が形成される。この空間部は、水素ガスで充満されるので、ここでは水素ガス空間部１２Ａと呼ぶ。水素ガス空間部１２Ａには実質的に空気が存在しない。空気空間部が水素ガス空間部に変換された。
【００３６】
操作前、アルミパウチ本体１の袋状体部３の内と外は同じで絶対圧0.1MPaであり、ゲージ圧が零である。アルミパウチを膨らませるために、ゲージ圧で0.001〜0.00５MPaの圧力がかけられ、水素ガスがアルミパウチ内に送給される。この圧力量は微圧であって、アルミパウチ本体１の袋状体部３の内と外は同じで絶対圧0.1MPaであるとして取り扱うことができる。したがって、水素ガス空間部１２Ａは、ゲージ圧力では、実質的に無圧状態として取り扱うことができる。実質的に無圧状態とは、ゲージ圧で0.001〜0.00５MPaのように0.1MPaに対して１〜５％のような微々たる圧力がかけられた状態をいう。
【００３７】
水素ガスの導入によって、アルミパウチは膨張され、減容容積を回復される。さらに、減容容積を回復させた以上に水素ガスが導入されてもよい。水素ガスが充分にアルミパウチ内に充填され、このような充填・変形をアルミパウチは許容して膨張する。
【００３８】
注入針３３が引き抜かれ、蓋２に開けられた孔３８（図２参照）は、特殊パッキン３１によって塞がれる。
【００３９】
図１（v）は、図３（v）と同様に膨張され、減容容積を回復された形態が形成された状態を示す図である。
【００４０】
これによって、油性の増粘性物質の存在の下、水素ガスが溶解される機能性ゼリーとを有するアルミパウチ１００が形成された状態、すなわち内部に機能性ゼリーと油性の増粘性物質と水素ガスとを充填させたアルミパウチが形成された状態を示す図である。この状態を形成することで、図１（vii）に示される出荷することが可能になる。油性の増粘性物質と水素ガスを保持する機能性ゼリー商品が形成され、この状態であっても、機能性ゼリー商品として出荷することが可能になる。この場合には、購入者である利用者が購入した機能性ゼリー商品を振盪することで、長い期間に亘ってその中に水素ガスを保持、滞在させることを行い得ることを示す説明書を商品ラベルに添付するか商品説明書に説明することなされる。
【００４１】
図１（vi）は、出荷前に生産者側で、振盪させることがなされることで、水素ガスが増粘性機能性ゼリーに包含された状態を形成した状態を示す図である。
【００４２】
アルミパウチ本体１の上部に溜められた水素ガスは、アルミパウチ１００を加振、すなわち振盪することで機能性ゼリーは撹拌され、水素ガス空間部にあった水素ガスと混合し、水素ガスが機能性ゼリーに包含される。
【００４３】
アルミパウチを振盪させることで、機能性ゼリー・油性の増粘性物質中に、一度水素ガスを包含させれば、長い期間に亘ってその中に水素ガスを保持、滞在させ得る。アルミパウチを振盪させることで、長い期間に亘ってその中に水素ガスを保持、滞在させ得る機能性ゼリー商品を作ることができる。
【００４４】
図１（vii）は、図１（v）もしくは図１（vi）で作られた機能性ゼリー商品が出荷され得ることを示す図である。
【００４５】
図１（v）もしくは図１（vi）で作られた機能性ゼリー商品が出荷される。
【００４６】
本実施例の場合、図１（i）に示されるように、当初よりアルミパウチ本体１の内部には機能性ゼリーが収納されているので、ゲル化剤を添加することを要しない。この例では、外部に水素ボンベ３２を配置して水素ガスを供給することを行っているが、機能性ゼリー容器自体に水素発生装置を設けておくことで、水素を機能性ゼリー容器内から供給するようにしてもよい。
【００４７】
図２は、蓋２の機能を示す図である。図２（i）において、蓋２は、アルミパウチ本体１に、市販の状態で装着された蓋が使用可能であり、内部にねじ溝３５を持つ。ねじ溝３５の最小設計内径Ｒ１であり、先端の円筒部３６の内径はＲ２である。蓋２には、貫通させる針３３（図２（iii））が貫通する貫通孔３８が形成される。この貫通孔３８を設けておくことで、注入針３３の貫通を容易に行うことができる。貫通孔を予め設けておかない方法が採用されてもよい。貫通孔３８の径は、注入針３３の径よりも僅かに小さめにしておくのがよい。小さめであっての注入針３３の先端は、鋭角状をなすので容易に貫通孔３８に案内される。
【００４８】
特殊パッキン３１が準備される。特殊パッキン３１は、弾性体で形成され、蓋内部に装着されてパッキン性能を有して溶融性のない材料が使用され、注入針３３が容易に貫通され、抜かれた後において当該貫通孔を閉塞するという特殊な機能を有するものとされる。代表的なものとしてゴムを選択することができる。特殊パッキン３１は円筒状で、薄い平板状をなし、外形は、上述の径Ｒ１、Ｒ２よりも若干大きな径ＲＯをなす。
【００４９】
図２（ii）において、特殊パッキン３１が蓋内部に装着され、径Ｒ１、Ｒ２と径ＲＯとの関係で、特殊パッキン３１は、蓋内部に機械的に嵌合される。特殊パッキン３１を蓋内部に装着する前に、上述したようにアルミパウチ本体１は、押圧され、アルミパウチ本体内上部の空間部にある空気が排出され、機能性ゼリーの上端面は、アルミパッチ本体１のアルミパッチ差込口部４の上端付近まで達するようにされる。
【００５０】
図２（iii）において、アルミパッチ本体１のアルミパッチ差込口部４に蓋２が装着される。アルミパッチ差込口部４は、先端部に円筒部を３７備え、円筒部を３７の外径は、径Ｒ１、Ｒ２よりも若干小さい。
【００５１】
アルミパッチ差込口部４に蓋２が装着された状態で、すなわちあるミパッチ本体１に蓋２が取り付けられた状態で、特殊パッキン３１の下端面が減量後の機能性ゼリー上面に接し、アルミパッチ１００は、上端部にあった空間部が消失され密封される。特殊パッキン３１は、円筒部３７によって上方に押圧され、蓋２の底面に密着する。このように、特殊パッキン３１は、蓋内部に嵌合係止され、底面に密着する。この例では、アルミパッチ１００が上端部にあった空気空間部が消失され密封される例を示したが、作業性の観点か特殊パッキン３１の下端面が飲料水上面から若干の間隙が設けられる場合があり得る。このような場合には、空間部が若干残存するが、その空間部の容積は極めて少ないものとされ、空気空間部に残る空気はわずかである。
【００５２】
このような形態が形成されると、水素ガス注入器３０の注入針３３が貫通孔３８、特殊パッキン３１を貫通するようにして設置される。
【００５３】
注入針３３が設置されると、水素ガスボンベ３２から水素ガスが注入針３３を介してアルミパッチ本体１内に送給、注入される。アルミパウチを膨らませるために、ゲージ圧で0.001〜0.00５MPaの圧力がかけられ、水素ガスがアルミパウチ内に送給される。
【００５４】
図２（iv）において、図１（v）に示されるように水素ガスの送給によって水素ガス空間部１２Ａが形成されて、アルミパッチ本体１が膨張し、原形状態まで回復すると、注入針３３は、特殊パッキン３１及び貫通孔３８から引き抜かれる。特殊パッキン３１は、蓋内部に嵌合装着され、底面に密着された状態にあるので、注入針３３が貫通した孔さらには貫通孔３８を直ちに閉塞して、送給され収納状態にある水素ガスが外部に漏れ出ることを阻止する。水素ガスの送給は、原形状態まで回復以上になされてもよい。
【００５５】
このように、アルミパウチ本体に作用する操作力でもって、内部に収納の機能性ゼリーの一部あるいは空気空間部内の空気が当該アルミパウチの外部に排出されて、内部が密封状態で減容容積とされ、水素ガスボンベから水素ガスが、水素ガス注入器を介して密封で減容容積形態のアルミパウチ内部に注入され、減容容積形態がなくなるまでまたはそれ以上に回復され、もってアルミパウチの内部が、機能性ゼリーと水素ガスとによって充填されるようにしたアルミパウチの形成方法が提供される。
【００５６】
これによって、アルミパウチ本体が、
アルミパウチ内部の上部に空気空間部を有するときに、当該空気空間部の空気が外部に排出されて、密封状態で原容積から減容容積とされた減容容積形態と、
当該減容容積形態で外部から水素ガスが注入されて、アルミパウチ内部の上部に水素ガス空間部を有して、密封状態で原容積まで回復された容積回復形態との２つの形態を呈し、容積回復形態で施蓋のときに、振盪させることが可能状態である内部に機能性ゼリーと油性の増粘性物質と水素ガスとを充填させたアルミパウチが構成された。
【００５７】
上部に、内部圧力がゲージ圧力で、実質的に無圧圧力とされた水素ガスを収納する水素ガス空間を備える。実質的に無圧圧力とされた、水素ガスが全部あるいは主体とした水素ガス空間部が形成された。
【００５８】
上述したように、上部に、内部圧力がゲージ圧力で、実質的に無圧圧力とされた水素ガスを収納する水素ガス空間を備えることが優先されるが、水素ガスを収容した水素ガス空間部を生成することで、内部をゲージ圧力で、大気圧以上にしてもよい。
【００５９】
図３は、機能性ゼリー収納容器の形成方法の他の例を示す図である。
【００６０】
この例は、実質的に図１に示される例と同じであり、同一の部分については、図１に示される説明が援用される。図１に示される部分と違う部分について説明する。
【００６１】
押圧装置２１及び水素注入器３０に代えて、機能性ゼリー吸出し・吸出し後使用の水素ガス注入器３０Ａ（以後、機能性ゼリー吸出し・水素ガス注入器３０Ａという。）を備え、連結管３４に三方切換弁５０が設けられ、注入針３３がこの三方切換弁５０を介して、吸引装置５１、水素ガスボンベ３２に連結されること、及びアルミパウチ本体１の内部には、当初から機能性ゼリーが満杯の状態で充填されていることにおいて違いがある。
【００６２】
図３（i）において、蓋２が装着され、アルミパウチ本体１内には機能性ゼリー油性の増粘性物質が満杯の状態で充填される。この状態は、図３（iii）における特殊パッキン３１（図２（i）参照）が既に装着されている。アルミパウチ本体２１の上部には、先の例のように空間部がない。
【００６３】
図３（ii）において、飲料水吸出し・水素ガス注入器３０Ａが準備され、機能性ゼリー吸出し・水素ガス注入器３０Ａの注入針３３が前例と同様にして貫通孔３８を貫通してセットされる。
【００６４】
三方切換弁５０は、吸引装置５１及び水素ガスボンベ３２に連結された連結管３４Ａ，３４Ｂの切り換えを行うことができる。
【００６５】
図３（iii）において、三方切換弁５０は、連結管３４Ａ、連結管３４を介して吸引装置５１を注入針３３に接続する。吸引装置５１は、アルミパウチ本体内の機能性ゼリーの一部を吸引する。これによって、図３（iii）に示される、減容容積とした形態が形成される。
【００６６】
図３（iv）において、三方切換弁５０は、連結管３４Ｂ、連結管３４を介して水素ガスボンベ３２を注入針３３に接続する。水素ガスボンベ３２は、アルミパウチ本体内に水素ガスを送給、注入する。これによって、アルミパウチ本体内には図１（iv）に示されると同様に、水素ガス空間部１２Ａが形成される。
【００６７】
水素水の形成に、上述したように、上部に、内部圧力がゲージ圧力で、実質的に無圧圧力とされた水素ガスを収納する水素ガス空間を備えることが優先されるが、水素ガスを収容した水素ガス空間部を生成することで、空間部内をゲージ圧力で、大気圧以上にしてもよい。
【００６８】
図３（v）において、図１（v）と同様に、アルミパウチ本体１の内部が、機能性ゼリーと水素ガスとによって充填されたアルミ製の飲料水収納容器、例えばアルミパウチ１００が形成される。
【００６９】
図３に示される実施例は、アルミパウチばかりでなく、アルミボトル、さらにはアルミ缶に適用して効果がある。特に、アルミ缶のように弾性変形域が小さい材料から容器の場合に、吸引力で容器を内側全体から変形させることができ、効果がある。
【００７０】
本実施例の場合、図１（i）に示されるように、当初よりアルミパウチ本体１の内部には機能性ゼリーが充填されているので、ゲル化剤を添加することを要しない。
【００７１】
このように、アルミパウチ本体に作用する操作力でもって、内部に収納の飲料水の一部あるいは空間部内の空気が当該アルミパウチ外に排出されて、内部が密封状態で減容容積とされ、水素ガスボンベから水素ガスが、水素ガス注入器を介して密封で減容状態のアルミパウチ内部に注入され、減容状態がなくなるまでまたはそれ以上に回復され、もってアルミパウチの内部が、飲料水と水素ガスとによって充填される機能性ゼリー収納容器の形成方法が提供される。
【００７２】
アルミ製の飲料水収納容器本体が、機能性ゼリー収納容器内の機能性ゼリー・油性の増粘性物質の一部が、弾性パッキンを貫通した水素ガスの注入針あるいは注入針より大径とされて吸引可能な注入針を介して吸引で排出されることで、密封状態で減容容積とされた減容形態を呈するようにすることが可能であり、当該注入針を介して外部から水素ガスが密封状態で減容容積以上に注入されて膨張された膨張形態を呈するようにすることが可能である。このような機能性ゼリー収納容器の形成方法において、機能性ゼリー・油性の増粘性物質の一部の吸引及び外部から水素ガスが密封状態で減容容積以上に注入を繰り返すことで、弾性変形域内で、前記減容形態及び膨張形態を繰り返し形成し、もって膨張形態のとき、内部の上部に、内部圧力がゲージ圧力で、実質的に無圧圧力以上とされた水素ガスを収納する水素ガス空間部を形成することができる。
【００７３】
先の実施例である図１に示されるアルミパッチの形成方法にあっては、アルミパウチ本体の上部に空気が存在する空気空間部１２が形成された（図１（i））が、図３（i）に示されるように、当初から空気が存在する空気空間部を形成することなく、アルミパウチ本体内に機能性ゼリー・油性の増粘性物質を満杯に充填しておいても、図１（v）に示す形態を形成することができる。
【００７４】
本実施例によれば、アルミパウチ本体に作用する操作力でもって、内部が密封状態で減容容積とされ、この密封で減容容積形態から水素ガスが、アルミパウチ内部に注入され、減容容積形態がなくなるまでまたはそれ以上に回復されるので、アルミパウチの上部に形成された水素ガス空間部は、水素ガスで占める水素ガス空間部とされる。
【００７５】
これによってアルミパウチ内に水素水の水素濃度を確保することを容易にし、かつこのような空間部の形成によって、利用者が蓋を取り外した時に水素ガスが噴出することが防止される。
【００７６】
本実施例によれば、空間部内におけるゲージ圧力を無圧よりも若干高めの状態とすることで、水素ガスで占める空間部を形成することができる。
【００７７】
本実施例によれば、水素ガスで占める空間部を形成し、水素水の噴出を防止することができるようにすることでき、ゲージ圧力で１気圧以上の圧力を有する水素水の生成を可能にして、水素水中に溶解する水素量を増加させ、水素濃度の高い水素水を安全に提供できる。
【００７８】
このような状況の下、上述したように、本実施例は、
アルミパウチの内部に、水素ガスが、ゲージ圧力を無圧よりも若干高めのゲージ圧力であって、実質的にゼロに近い状態で収納されるようになし、水素ガスで占める水素ガス空間部を形成することで、所定の水素水の水素濃度を容易に確保できるようにしたことを特徴とする。
【００７９】
さらには、水素ガスで占める水素ガス空間部を形成すること優先し、ついで水素ガス圧力をゲージ圧力で大気圧以上に、例えば１ないし１０気圧に範囲内で増大させるようにして所定の水素水の水素濃度を容易に確保し、当該空間部の確保によって、利用者が蓋を取り外した時に水素ガスが噴出することが防止することができるようにことを特徴とする。
【００８０】
機能性ゼリー収納容器本体が、
機能性ゼリー収納容器内部の上部に空気空間部を有するときに、当該空気空間部の空気が外部に排出されて、あるいは機能性ゼリー収納容器内部が機能性ゼリーと油性の増粘性物質とで充填されているときに、機能性ゼリーと油性の増粘性物質との一部が外部に排出されることで、密封状態で原容積から減容容積とされた減容容積形態と、
当該減容容積形態で外部から水素ガスが注入されて、機能性ゼリー収納容器内部の上部に水素ガス空間部を有して、密封状態で原容積まで回復された容積回復形態との２つの形態を呈し、容積回復形態で施蓋のときに、人間の手でもって、あるいは加振装置によって加振、すなわち振盪させることが可能状態にある。振盪によって、機能性ゼリーが充分に撹拌される場合に、水素ガスが溶解した増粘性機能性ゼリーを生成することができる。
【００８１】
図４は、本発明の他の実施例を示す図である。
【００８２】
先に実施例では、予めアルミパウチ内に、機能性ゼリーが収納された。図４に示される実施例にあっては、アルミパウチ内で濃度の高い水素含有の水素水が生成され、当該水素水中に、ゲル剤が添加され、混合されて、水素ガスを保持する機能性ゼリーが生成される。
【００８３】
図１（i）〜図１（iv）に記載された機能性ゼリー１１が飲料水１１’に読み替えられる。図１（i）〜図１（iv）に示される工程で同様の方法で、アルミパウチ内で濃度の高い水素含有の水素水が生成される。
【００８４】
図１（iv）に示される形態後に、濃度の高い水素含有の水素水に、アルミパウチ内部に連結する連結手段（図示せず）を持つゲル化剤添加装置６０からゲル化剤が添加される。また、油性の増粘性物質添加装置６１から油性の増粘性物質が添加される。
【００８５】
図１（v）は、ゲル化剤が添加され、油性の増粘性物質が添加され、濃度の高い水素ガス含有の機能性ゼリーが形成された状態を示す図である。
【００８６】
このようにしても、図１（v）に示されると同様の機能性ゼリー商品を作ることができる。アルミパウチ内での濃度の高い水素含有の水素水の生成とゲル化剤が添加、油性の増粘性物質の添加を同時に並行して行い、より濃い水素濃度を持つ機能性ゼリーを形成し得る。
【００８７】
先の実施例と本実施例により、
内部に機能性ゼリー・油性の増粘性物質もしくは飲料水を収納し、上部に空気空間部を有し、又は内部に空気空間部を有さずに機能性ゼリー・油性の増粘性物質もしくは飲料水が充填され、
機能性ゼリー収納容器内部の上部に空気空間部を有するときに、当該空気空間部の空気が外部に排出されることで、あるいは機能性ゼリー収納容器内部が機能性ゼリー・油性の増粘性物質あるいは飲料水で充填されているときに、機能性ゼリー・油性の増粘性物質あるいは飲料水の一部が外部に排出されることで、密封状態で原容積から減容容積とされた減容容積形態を形成し、
当該減容容積形態で外部から水素ガスが注入されて、機能性ゼリー収納容器内部の上部に水素ガス空間部を有して、密封状態で原容積まで回復された容積回復形態を形成し、
内部に機能性ゼリー・油性の増粘性物質が収納あるいは充填されているときは、前記２つの形態が機能性ゼリー収納容器内部に機能性ゼリーが収納あるいは充填の下に、水素ガス保有の機能性ゼリーを形成し、内部に飲料水が収納あるいは充填されているときは、ゲル化剤添加及び油性の増粘性物質添加なされて前記２つの形態が機能性ゼリー収納容器内部に飲料水が収納あるいは充填の下に、添加されたゲル化剤によって水素ガス保有の機能性ゼリーを形成し、
水素ガス保有の機能性ゼリーは、油性の増粘性物質の存在の下、振盪させることが可能であること
を特徴とする内部に機能性ゼリーと油性の増粘性物質と水素ガスとで充填させた機能性ゼリー収納容器の形成方法が形成される。
【００８８】
図５は、機能性ゼリー収納容器として典型的なアルミパウチを例にとってアルミパウチの形成装置をブロックで示す図である。能性ゼリー収納容器として典型的なアルミパウチを例にとってアルミパウチの形成装置について説明する図である。図１〜図４に示された説明が参照される。
【００８９】
図５において、アルミパウチが用いられ、アルミパウチ内に、水素ガスを含有した機能性ゼリーを収納することで、内部に機能性ゼリーと水素ガスとを充填させ、人間がその手に持って容易に持ち運び可能なアルミパウチの形成装置は、次のような準備がなされて構成される。
【００９０】
まず、アルミパウチ本体及び当該アルミパウチの口部となるアルミパウチ差込み口部に形成されたねじ溝に係合するねじ溝を備えた蓋からなる市販のアルミパウチと、当該蓋の内部面に係合し、当該蓋の内部に収納された弾性を有する市販の弾性パッキンと、当該アルミパウチの内部に注入される水素ガスを収納した水素ガスボンベと、当該蓋を貫通可能な注入針、当該注入針と前記水素ボンベとを連結する連結管とを備えた水素ガス注入器とが準備される。水素ガスボンベには、水素ガス生成装置と当該水素ガス生成装置によって生成された水素ガスを送給できる送給装置が含まれる。
【００９１】
アルミパウチの形成装置は、
当該機能性ゼリー収納容器の上部に空気空間部を形成する空気空間部形成手段、
機能性ゼリー収納容器本体の外面を内部方向に押圧し、内部の空気空間部内の空気を当該機能性ゼリー収納容器の外部に排出して、内部を密封状態で容積を減容させる押圧手段、
弾性パッキンを装着した蓋を、機能性ゼリー収納容器本体の口部に施蓋する施蓋手段、
前記注入針を、当該蓋を貫通して当該機能性ゼリー収納容器の内部に差し込み、取り外しを行う注入針差し込み・取り外し手段と、
水素ガスボンベから水素ガスを、水素ガス注入器を介して密封で減容容積形態の機能性ゼリー収納容器内部に注入し、機能性ゼリー収納容器内部の上部に水素ガス空間部を形成して、密封状態で原容積まで回復された容積回復形態を形成する容積回復形態手段と、
内部に機能性ゼリーと油性の増粘性物質と水素ガスとを充填させる機能性ゼリー・油性の増粘性物質・水素ガス充填手段と、
内部に機能性ゼリーと油性の増粘性物質と水素ガスとを充填させた機能性ゼリー収納容器を振盪させる振盪手段と、を備える
振盪手段によって水素ガスを機能性ゼリー中に閉じ込めることができ、機能性ゼリー内に保持し、長く滞在させておくことで、水素ガス濃度が時間の経過と共に低くなる現象を軽減させ、水素ガスを機能性ゼリーに保持させた状態を長く維持することができる。
【００９２】
本実施例によれば、減容容積形態で外部から水素ガスが注入されて、アルミ製の機能性ゼリー収納容器内部の上部に水素ガス空間部を有して、密封状態で原容積まで回復された容積回復形態とされ、容積回復形態のときに、振盪させることが可能とする。また、本発明によれば、アルミパウチ内部の上部に空気空間部を有するときに、当該空気空間部の空気が外部に排出されて、密封状態で原容積から減容容積とされた減容容積形態と、
当該減容容積形態で外部から水素ガスが注入されて、アルミパウチ内部の上部に水素ガス空間部を有して、密封状態で原容積まで回復された容積回復形態との２つの形態を呈するように形成することができる。
【００９３】
高圧の水素ガスあるいは水素ガスを含有する機能性ゼリーが外部に噴出して利用者の衣服を汚染する恐れがなく、機能性ゼリー収納容器の内に、生成した水素水の水素濃度低下を長期に防止することができるようにすることができる。
【符号の説明】
【００９４】
１００…アルミパウチ、１…アルミパウチ本体、２…蓋（キャップ）、３…袋状体部、４…アルミパウチ差込み口部、５…ねじ溝、１１…アルミパウチ、１２…空気空間部、１２Ａ…水素ガス空間部、２１…押圧装置、３０…水素ガス注入器、３０Ａ…飲料水吸出し・水素ガス注入器、３１…特殊パッキン（ゴム）、３２…水素ガスボンベ、３３…注入針、３４，３４Ａ，３４Ｂ…連結管、３５…ねじ溝、３６、３７…円筒部、３８…貫通孔、５０…三方切換弁、５１…吸引装置、６０…ゲル化剤添加装置、６１…油性の増粘性物質添加装置。
【図１】
2019131269.tif 000003
【図２】
2019131269.tif 000004
【図３】
2019131269.tif 000005
【図４】
2019131269.tif 000006
【図５】
2019131269.tif 000007
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
人間がその手に持って容易に持ち運び可能で、蓋を備えた機能性ゼリー収納容器であって、内部に、水素ガスと油成分と機能性ゼリーとを充填させた機能性ゼリー収納容器の形成方法において、
機能性ゼリー収納容器内部に機能性ゼリー及び油成分を収納し、上部に空気空間部を有し、又は内部に空気空間部を有さずに機能性ゼリー油成分が充填され、
機能性ゼリー収納容器内部の上部に空気空間部を有するときに、機能性ゼリー収納容器が外部から押圧力によって押圧されて、当該空気空間部の空気が外部に排出されることで、あるいは機能性ゼリー収納容器内部が機能性ゼリー及び油成分で充填されているときに、機能性ゼリー収納容器が外部から押圧力によって押圧されて、機能性ゼリー及び油成分の一部が外部に排出されることで、機能性ゼリー収納容器内部に、密封状態で原容積から減容容積とされた減容容積形態を形成し、
当該減容容積形態のときに、水素ガスが注入されて、機能性ゼリー収納容器内部の上部に水素ガスが充満された水素ガス空間部を形成して、機能性ゼリー収納容器内部に、密封状態で原容積まで回復された容積回復形態を形成し、
機能性ゼリー、油成分及び水素ガスを収納する機能性ゼリー収納容器が振盪可能状態とされること
を特徴とする内部に機能性ゼリーと油成分と水素ガスとで充填させた機能性ゼリー収納容器の形成方法。
【請求項２】
請求項１に記載された内部に機能性ゼリーと油成分と水素ガスとで充填させた機能性ゼリー収納容器の形成方法において、減容容積形態の形成方法として、機能性ゼリー収納容器内部の上部に空気空間部を有するときに、機能性ゼリー収納容器が外部から押圧力によって押圧されて、当該空気空間部の空気が外部に排出される方法が採用されたことを特徴とする内部に機能性ゼリーと油成分と水素ガスとで充填させた機能性ゼリー収納容器の形成方法。
【請求項３】
請求項１または２に記載された内部に機能性ゼリーと油成分と水素ガスとで充填させた機能性ゼリー収納容器の形成方法において、機能性ゼリー、油成分及び水素ガスを収納する機能性ゼリー収納容器を振盪させることで、充填された機能性ゼリー及び油成分から、当該機能性ゼリーの持つ粘度以上に増粘性とされた水素ガス保有の増粘性機能性ゼリーを形成することを特徴とする内部に機能性ゼリーと油成分と水素ガスとで充填させた機能性ゼリー収納容器の形成方法。
【請求項４】
請求項１に記載された内部に機能性ゼリーと油成分と水素ガスとで充填させた機能性ゼリー収納容器の形成方法で形成された機能性ゼリー収納容器において、
充填された機能性ゼリーの持つ粘度以上に増粘性とされた水素ガス保有の機能性ゼリーを収納すること
を特徴とする内部に機能性ゼリーと油成分と水素ガスとを充填させた機能性ゼリー収納容器。
【請求項５】
アルミパウチが用いられ、アルミパウチ内に、水素ガスを含有した機能性ゼリーと油成分とを収納することで、内部に機能性ゼリーと油成分と水素ガスとを充填させたアルミパウチの形成方法において、
アルミパウチ本体及び当該アルミパウチの口部となるアルミパウチ差込み口部に形成されたねじ溝に係合するねじ溝を備えた蓋からなる市販のアルミパウチと、当該蓋の内部面に係合し、当該蓋の内部に収納されて弾性を有する弾性パッキンと、当該アルミパウチの内部に注入される水素ガスを収納した水素ガスボンベと、当該蓋を貫通可能な注入針、当該注入針と前記水素ボンベとを連結する連結管を備えた水素ガス注入器と、当該蓋を貫通可能な注入針、当該注入針と前記油成分収納容器とを連結する連結管を備えた油成分注入器とが準備され、
アルミパウチ内部の下部に機能性ゼリーと油成分とが収納され、アルミパウチ内部の上部に空気空間部が形成され、
当該アルミパウチ本体が、押圧手段によって内部方向に押圧され、空気空間部内の空気が当該アルミパウチの外部に排出されて、密封状態で原容積から減容容積とされた減容容積形態とされ、
前記アルミパウチの口部が、弾性パッキンを備えた前記蓋による施蓋され、
前記注入針が当該蓋を貫通して、当該アルミパウチの内部に差し込まれ、
水素ガスボンベから水素ガスが、水素ガス注入器を介して密封で減容容積形態のアルミパウチ内部に注入され、
当該減容容積形態で外部から水素ガスが注入されて、アルミパウチ内部の上部に水素ガスが充満された水素ガス空間部が形成されて、密封状態で原容積まで回復された容積回復形態とされ、
注入針が当該蓋から取り除かれ、前記弾性パッキンが注入針の貫通した貫通孔を塞ぎ、アルミパウチを振盪させることが可能状態とされたこと
を特徴とする内部に機能性ゼリーと油成分と水素ガスとを充填させたアルミパウチの形成方法。